(57)【要約】【課題】異なる被記録媒体の保管状態を向上すると共に、異なる被記録媒体を容易に且つ確実に選択して給紙し、且つ異なる被記録媒体毎に適した印刷条件を提供することができる給紙カートリッジ及び印刷装置を提供する。【解決手段】被記録媒体に印刷する印刷装置の１つの給紙部に対し着脱可能な形状を有すると共に前記印刷装置に給紙する被記録媒体Ｓ１〜Ｓ４を保持した給紙カートリッジ１０において、異なる被記録媒体Ｓ１〜Ｓ４をそれぞれ保持する２つ以上の保持部１１ａ〜１１ｄと、前記被記録媒体Ｓ１〜Ｓ４を前記印刷装置に給紙する１つの給紙口１２と、前記保持部１１ａ〜１１ｄのそれぞれの被記録媒体Ｓ１〜Ｓ４を前記給紙口１２へ選択的に給紙する給紙手段１３と、前記印刷装置の要求に応じて前記給紙手段１３を制御して前記被記録媒体Ｓ１〜Ｓ４を選択させる給紙制御手段を有する制御部１４とを設ける。【選択図】        図１
2004307085.tif 000002
【特許請求の範囲】
【請求項１】
被記録媒体に印刷する印刷装置の１つの給紙部に対し着脱可能な形状を有すると共に前記印刷装置に給紙する被記録媒体を保持した給紙カートリッジにおいて、
異なる被記録媒体をそれぞれ保持する２つ以上の保持部と、前記被記録媒体を前記印刷装置に給紙する１つの給紙口と、前記保持部のそれぞれの被記録媒体を前記給紙口へ選択的に給紙する給紙手段と、前記印刷装置の要求に応じて前記給紙手段を制御して前記被記録媒体を選択させる給紙制御手段を有する制御部とを具備することを特徴とする給紙カートリッジ。
【請求項２】
請求項１において、前記制御部には、前記印刷装置に提供されると共に前記被記録媒体を選択させる前記保持部のそれぞれに保持された前記被記録媒体の情報がメモリされていることを特徴とする給紙カートリッジ。
【請求項３】
請求項２において、前記情報が、少なくとも前記保持部のそれぞれに保持された被記録媒体の紙種及び用紙サイズであることを特徴とする給紙カートリッジ。
【請求項４】
請求項２又は３において、前記給紙制御手段にメモリされた情報が前記保持部のそれぞれに保持された前記被記録媒体の枚数を含むことを特徴とする給紙カートリッジ。
【請求項５】
請求項２〜４の何れかにおいて、前記給紙制御手段が、前記制御部にメモリされた前記情報を書き換えることを特徴とする給紙カートリッジ。
【請求項６】
請求項５において、前記給紙制御手段が書き換える前記情報が、前記保持部のそれぞれに保持された前記被記録媒体の残り枚数であることを特徴とする給紙カートリッジ。
【請求項７】
請求項１〜６の何れかにおいて、前記保持部内の湿度を調整する調湿材料が設けられていることを特徴とする給紙カートリッジ。
【請求項８】
請求項１〜７の何れかにおいて、前記保持部のそれぞれには、前記被記録媒体を補充する補充口が設けられていることを特徴とする給紙カートリッジ。
【請求項９】
請求項１〜８の何れかの給紙カートリッジが着脱可能に設けられると共に、前記給紙カートリッジから給紙された前記被記録媒体に印刷する装置本体と、該装置本体に設けられて前記被記録媒体への印刷を制御する印刷制御部とを具備することを特徴とする印刷装置。
【請求項１０】
請求項９において、前記給紙制御手段は、前記印刷制御部に対し、前記保持部のそれぞれの存在を認識させることを特徴とする印刷装置。
【請求項１１】
請求項９又は１０において、前記給紙制御手段が、前記印刷制御部の要求に応じて前記給紙手段の制御を行い当該給紙手段に前記被記録媒体を選択的に給紙することを特徴とする印刷装置。
【発明の詳細な説明】
【０００１】
【発明の属する技術分野】
本発明は、紙などの被記録媒体を保持すると共に被記録媒体に印刷を行わせる印刷装置に着脱可能な形状を有し、この印刷装置に被記録媒体を給紙する給紙カートリッジ及び印刷装置に関する。
【０００２】
【従来の技術】
紙などの被記録媒体に印刷を行う印刷装置には、被記録媒体を保持した給紙カートリッジが着脱可能に設けられている。
【０００３】
このような印刷装置には、印刷領域に被記録媒体を搬送する１つの搬送路及び１つの給紙部が設けられ且つ１種類の被記録媒体を保持した給紙カートリッジが着脱可能に設けられており、この給紙カートリッジに被記録媒体の情報が付されているものがある（例えば、特許文献１参照）。
【０００４】
このような１種類の被記録媒体を保持した給紙カートリッジが取り付けられた印刷装置では、異なる被記録媒体を用いるために複数の給紙カートリッジを用意する必要があると共に、異なる被記録媒体に印刷を実行する度に給紙カートリッジを交換しなくてはならない。また、異なる被記録媒体に印刷する度に印刷装置の紙種等の設定を変更する必要があり煩雑であるという問題がある。
【０００５】
このため、印刷装置に複数の給紙部を設け、各給紙部に対し給紙トレーを設置し、異なる紙種又は用紙サイズの被記録媒体の給紙を選択できるようにしたものがある（例えば、特許文献２参照）。
【０００６】
【特許文献１】
特開２００１−１３９０７８号公報（第６頁、第３及び４図）
【特許文献２】
特開平９−２６７４９２号公報（第７頁、第１図）
【０００７】
【発明が解決しようとする課題】
しかしながら、複数の給紙部と各給紙部に対応した給紙トレーを設けた印刷装置では、ユーザが印刷装置に接続された外部端末を操作して印刷指令を出す際に、複数の被記録媒体から選択すると共に、選択した被記録媒体に適した印刷条件の設定を行わなくてはならず、また、異なる被記録媒体に印刷を行う度に、ユーザは設定を行う必要があり、煩雑であるという問題がある。
【０００８】
さらに、被記録媒体は、環境雰囲気を所定湿度以上に保たなければカールしてしまうと共に、被記録媒体の搬送路での重送及びコッキング等の搬送不良が発生してしまうという問題がある。特に、複数の給紙トレーが設けられた印刷装置では、給紙トレーに保持された被記録媒体の環境雰囲気を所定の湿度に維持するために印刷装置内の全ての領域の環境雰囲気を所定湿度以上に保つ必要があり被記録媒体の保管状態の管理が困難であるという問題がある。
【０００９】
本発明は、このような事情に鑑み、異なる被記録媒体の保管状態を向上すると共に、異なる被記録媒体を容易に且つ確実に選択して給紙し、且つ異なる被記録媒体毎に適した印刷条件を提供することができる給紙カートリッジ及び印刷装置を提供することを課題とする。
【００１０】
【課題を解決するための手段】
上記課題を解決する本発明の第１の態様は、被記録媒体に印刷する印刷装置の１つの給紙部に対し着脱可能な形状を有すると共に前記印刷装置に給紙する被記録媒体を保持した給紙カートリッジにおいて、異なる被記録媒体をそれぞれ保持する２つ以上の保持部と、前記被記録媒体を前記印刷装置に給紙する１つの給紙口と、前記保持部のそれぞれの被記録媒体を前記給紙口へ選択的に給紙する給紙手段と、前記印刷装置の要求に応じて前記給紙手段を制御して前記被記録媒体を選択させる給紙制御手段を有する制御部とを具備することを特徴とする給紙カートリッジにある。
【００１１】
かかる第１の態様では、異なる被記録媒体の保管状態を向上すると共に、異なる被記録媒体を容易に且つ確実に選択して給紙することができる。
【００１２】
本発明の第２の態様は、第１の態様において、前記制御部には、前記印刷装置に提供されると共に前記被記録媒体を選択させる前記保持部のそれぞれに保持された前記被記録媒体の情報がメモリされていることを特徴とする給紙カートリッジにある。
【００１３】
かかる第２の態様では、被記録媒体の情報をメモリすることで、被記録媒体のそれぞれに適した印刷を印刷装置に容易に行わせることができる。
【００１４】
本発明の第３の態様は、第２の態様において、前記情報が、少なくとも前記保持部のそれぞれに保持された被記録媒体の紙種及び用紙サイズであることを特徴とする給紙カートリッジにある。
【００１５】
かかる第３の態様では、印刷装置に紙種及び用紙サイズに適した印刷を行わせることができる。
【００１６】
本発明の第４の態様は、第２又は３の態様において、前記給紙制御手段にメモリされた情報が前記保持部のそれぞれに保持された前記被記録媒体の枚数を含むことを特徴とする給紙カートリッジにある。
【００１７】
かかる第４の態様では、印刷装置が被記録媒体の枚数を把握することができる。
【００１８】
本発明の第５の態様は、第２〜４の何れかの態様において、前記給紙制御手段が、前記制御部にメモリされた前記情報を書き換えることを特徴とする給紙カートリッジにある。
【００１９】
かかる第５の態様では、制御部にメモリされた枚数等の情報が、消費された際に書き換えられることで、印刷装置から給紙カートリッジを着脱しても、枚数の誤認等を防止できる。
【００２０】
本発明の第６の態様は、第５の態様において、前記給紙制御手段が書き換える前記情報が、前記保持部のそれぞれに保持された前記被記録媒体の残り枚数であることを特徴とする給紙カートリッジにある。
【００２１】
かかる第６の態様では、残り枚数を書き換えてメモリすることで、印刷装置から給紙カートリッジを着脱しても残り枚数の誤認を防止できる。
【００２２】
本発明の第７の態様は、第１〜６の何れかの態様において、前記保持部内の湿度を調整する調湿材料が設けられていることを特徴とする給紙カートリッジにある。
【００２３】
かかる第７の態様では、異なる被記録媒体の環境雰囲気の湿度を調湿することで、被記録媒体のカール及び給紙手段の重送及びコッキング等の搬送不良を防止できる。
【００２４】
本発明の第８の態様は、第１〜７の何れかの態様において、前記保持部のそれぞれには、前記被記録媒体を補充する補充口が設けられていることを特徴とする給紙カートリッジにある。
【００２５】
かかる第８の態様では、複数の保持部の何れか１つの被記録媒体を使い終わっても、他の被記録媒体を無駄にすることなく使用できる。
【００２６】
本発明の第９の態様は、第１〜８の何れかの態様の給紙カートリッジが着脱自在に設けられると共に、前記給紙カートリッジから給紙された前記被記録媒体に印刷する装置本体と、該装置本体に設けられて前記被記録媒体への印刷を制御する印刷制御部とを具備することを特徴とする印刷装置にある。
【００２７】
かかる第９の態様では、異なる被記録媒体を容易に且つ確実に選択して給紙することができると共に、ユーザが異なる被記録媒体から所望の被記録媒体を選択するだけで、選択した被記録媒体に適した印刷条件で容易に印刷を行うことができる。
【００２８】
本発明の第１０の態様は、第９の態様において、前記給紙制御手段は、前記印刷制御部に対し、前記保持部のそれぞれの存在を認識させることを特徴とする印刷装置にある。
【００２９】
かかる第１０の態様では、印刷制御部に保持部のそれぞれを認識させることで、ユーザが被記録媒体を容易に選択することができる。
【００３０】
本発明の第１１の態様は、第９又は１０の態様において、前記給紙制御手段が、前記印刷制御部の要求に応じて前記給紙手段の制御を行い当該給紙手段に前記被記録媒体を選択的に給紙させることを特徴とする印刷装置にある。
【００３１】
かかる第１１の態様では、異なる被記録媒体の選択的な給紙を自動化することができる。
【００３２】
【発明の実施の形態】
以下に、本発明を実施形態に基づいて詳細に説明する。
（実施形態１）
図１は、給紙カートリッジの断面図である。図１に示すように、給紙カートリッジ１０は、異なる被記録媒体である記録シートＳをそれぞれ保持する２つ以上の保持部１１と、複数の保持部１１のそれぞれの記録シートを１つの給紙口１２へ搬送する給紙手段１３と、印刷装置からの要求に応じて給紙手段１３を制御して給紙手段１３に記録シートＳを選択的に搬送させる制御部１４とを具備する。
【００３３】
保持部１１は、本実施形態では、それぞれ異なる４種類の記録シートＳ１〜Ｓ４を保持する第１保持部１１ａ〜第４保持部１１ｄで構成されている。この第１保持部１１ａ〜第４保持部１１ｄがそれぞれ保持する記録シートＳ１〜Ｓ４は、紙種、用紙サイズ又はその両方が異なるものである。記録シートＳ１〜Ｓ４の紙種としては、例えば、半光沢写真紙、光沢写真紙、マット紙、普通紙、ＯＨＰシート等を挙げることができる。また、記録シートＳ１〜Ｓ４の用紙サイズとしては、例えば、Ａ判、Ｂ判、官製葉書サイズ、名刺サイズ、Ｌ判、Ｅ判等の写真サイズ及びユーザ定義サイズ等を挙げることができる。本実施形態の異なる被記録媒体とは、紙種、用紙サイズ又はその両方が異なるものを言う。
【００３４】
また、給紙カートリッジ１０には、第１保持部１１ａ〜第４保持部１１ｄがそれぞれ保持した異なる記録シートＳ１〜Ｓ４を給紙口１２に搬送する給紙手段１３が設けられている。給紙手段１３は、第１保持部１１ａ〜第４保持部１１ｄのそれぞれに対応して設けられた複数の給紙ローラ１５からなる給紙ローラ群１６と、給紙ローラ群１６を駆動する図示しない駆動モータ等の駆動手段とからなる。この給紙手段１３は、制御部１４に制御されることで、記録シートＳ１〜Ｓ４を選択的に給紙口１２まで搬送する。この給紙手段１３により給紙口１２まで搬送された記録シートＳは、印刷装置内に設けられた図示しない１つの給紙部により印刷装置内を副走査方向に搬送される。
【００３５】
また、制御部１４は、給紙カートリッジ１０の外周面に固定された、例えば、情報をメモリする記憶手段を有するシングルチップ化されたマイコンピュータ（１チップマイコン）等からなる。この制御部１４は、詳しくは後述するが、印刷装置に第１保持部１１ａ〜第４保持部１１ｄの存在を認識させる。このように印刷装置に第１保持部１１ａ〜第４保持部１１ｄを認識させることで、印刷装置は、１つの給紙部に複数の保持部１１から選択的に給紙を行わせることができる。なお、このような制御部１４は、詳しくは後述するが、給紙カートリッジ１０を印刷装置に装着した際に、印刷装置内に設けられた印刷制御部に配線１７を介して接続されている。
【００３６】
このような給紙カートリッジ１０では、複数の記録シートＳ１〜Ｓ４の乾燥、高湿度、紫外線等の外部環境に起因する劣化等を同時に防止して、保管状態を向上することができる。また、異なる記録シートＳ１〜Ｓ４の保管状態を同時に管理することができる。さらに、異なる記録シートＳ１〜Ｓ４を制御部１４及び給紙手段１３によって容易に且つ確実に選択的に給紙することができる。
【００３７】
また、例えば、給紙カートリッジ１０内に、給紙カートリッジ１０内の湿度を所定以上の湿度に調整する保湿剤等の調湿材料を設けるようにしてもよい。これにより、異なる記録シートＳ１〜Ｓ４の環境雰囲気の湿度の調整を同時に行うことができ、さらに記録シートＳ１〜Ｓ４の保管状態を向上することができる。また、記録シートＳ１〜Ｓ４及び給紙手段１３の環境雰囲気を所定以上の湿度に調整することで、記録シートＳ１〜Ｓ４のカールや、給紙ローラ群１６での重送及びコッキング等の搬送不良などの発生を防止できると共に、印刷装置に給紙された後も、印刷装置の給紙部でも同様の搬送不良を防止できる。
【００３８】
ここで、このような給紙カートリッジ１０が着脱可能に装着される印刷装置を、インク滴を吐出して印刷を実行するインクジェット式記録装置を例示して説明する。なお、図２は、印刷装置の概略斜視図である。図２に示すように、記録ヘッド２１を有する記録ヘッドユニット２２は、インク提供手段を構成するカートリッジ２３Ａ及び２３Ｂがそれぞれ着脱可能に設けられ、この記録ヘッドユニット２２を搭載したキャリッジ２４は、装置本体２５に取り付けられたキャリッジ軸２６に軸方向移動自在に設けられている。この記録ヘッドユニット２２に搭載された記録ヘッド２１は、例えば、各カートリッジ２３Ａ及び２３Ｂに保持されたブラックインク組成物及びカラーインク組成物を吐出するものである。
【００３９】
そして、駆動モータ２７の駆動力が図示しない複数の歯車およびタイミングベルト２８を介してキャリッジ２４に伝達されることで、記録ヘッドユニット２２を搭載したキャリッジ２４はキャリッジ軸２６に沿って主走査方向に移動される。また、装置本体２５には、キャリッジ軸２６に沿って設けられた図示しない搬送ローラ及び搬送ローラを回転させる紙送りモータとからなる１つの給紙部が設けられている。さらに、装置本体２５の給紙部側には、上述した給紙カートリッジ１０が着脱可能に保持される。そして、給紙カートリッジ１０の記録シートＳ１〜Ｓ４から選択的に給紙された記録シートＳは、１つの搬送路を有する１つの給紙部を介してキャリッジ軸２６に沿って設けられたプラテン２９上を副走査方向に搬送されるようになっている。
【００４０】
このような印刷装置では、キャリッジ２４を主走査方向に移動させつつ、記録ヘッドユニット２２の記録ヘッド２１からインク滴を吐出させることで記録シートＳに主走査方向の印刷を行う。また、記録シートＳを給紙部により副走査方向に搬送することで副走査方向の位置決めを行う。これにより、記録シートＳの印刷面に印刷を行うことができる。
【００４１】
ここで、給紙カートリッジ１０及び印刷装置の制御系について説明する。なお、図３は、給紙カートリッジ及び印刷装置の制御系を示すブロック図である。図３に示すように、装置本体２５には印刷制御部３０が設けられ、印刷制御部３０は、外部から入力された印刷データに基づいて、記録ヘッド２１にインク滴を吐出させる駆動信号を発生する駆動ＩＣ３１と、装置本体２５内で記録シートＳを搬送する給紙部の紙送りモータ３２と、キャリッジ２４を主走査方向に移動する駆動モータ２７とを制御して記録シートＳに印刷を行う。
【００４２】
また、給紙カートリッジ１０の制御部１４は、印刷装置の印刷制御部３０に供給されると共に印刷制御部３０に選択させる記録シートＳ１〜Ｓ４の情報をメモリした記憶手段１８と、印刷制御部３０に対し複数の保持部１１の存在を認識させると共に印刷制御部３０の要求に応じて給紙手段１３を制御することで、記録シートＳ１〜Ｓ４から選択的に給紙させる給紙制御手段１９とを具備する。
【００４３】
給紙制御手段１９は、印刷装置に対して第１保持部１１ａ〜第４保持部１１ｄの存在を認識させる。このように印刷装置に第１保持部１１ａ〜第４保持部１１ｄを認識させるには、例えば、記憶手段１８に第１保持部１１ａ〜第４保持部１１ｄの数及び配置を認識情報１００としてメモリさせ、この認識情報１００を給紙制御手段１９が印刷制御部３０に提供することで行われる。このように認識情報１００が提供された印刷制御部３０は、１つの給紙部に対して第１保持部１１ａ〜第４保持部１１ｄから給紙可能なことを認識する。
【００４４】
また、記憶手段１８にメモリされた記録シートＳ１〜Ｓ４の情報１０１は、給紙制御手段１９によって印刷制御部３０に提供されることで、印刷制御部３０に記録シートＳ１〜Ｓ４を選択させるものである。このような記録シートＳ１〜Ｓ４の情報１０１は、例えば、保持部１１のそれぞれに保持された記録シートＳ１〜Ｓ４の紙種、用紙サイズ及び枚数などを挙げることができる。勿論、記憶手段１８に認識情報１００のみをメモリし、この認識情報１００に基づいてユーザが印刷装置に記録シートＳ１〜Ｓ４の紙種、用紙サイズ及び枚数などの設定を行うようにしてもよい。このように、印刷制御部３０は、提供された認識情報１００により複数の保持部１１から給紙可能なことを認識すると共に、提供された記録シートＳ１〜Ｓ４の情報１０１に基づいて記録シートＳ１〜Ｓ４から記録シートＳを選択することができる。
【００４５】
また、記録シートＳ１〜Ｓ４の情報は、印刷制御部３０から印刷装置に接続されたコンピュータ等の外部端末４０に提供され、ユーザが外部端末４０を操作して印刷指令を出す際に、ユーザに所望の記録シートＳを選択させる。このようにユーザが選択した選択情報１０２は、外部端末４０から印刷データ１０３と共に印刷制御部３０に送られる。そして、印刷制御部３０は、給紙制御手段１９に所定の記録シートＳを給紙するように給紙命令１０４を送ると共に、ユーザによる選択情報１０２と制御部１４から提供された記録シートＳ１〜Ｓ４の情報１０１とに基づいて、選択された記録シートＳのそれぞれに適した印刷条件で印刷を実行する。ここで、印刷条件としては、記録ヘッド２１のインク滴の吐出スピード、吐出量及び吐出周期などのインク吐出特性、キャリッジ２４の主走査方向への移動速度及び移動ピッチ、記録シートＳの副走査方向の移動ピッチなどを挙げることができる。
【００４６】
なお、給紙制御手段１９は、記憶手段１８にメモリされた記録シートＳ１〜Ｓ４の枚数等の情報１０１を書き換えるようにしてもよい。すなわち、給紙制御手段１９が記憶手段１８から記録シートＳ１〜Ｓ４のそれぞれの枚数を取得すると共に、給紙した記録シートＳ１〜Ｓ４のそれぞれの枚数を取得することで、第１保持部１１ａ〜第４保持部１１ｄに保持された記録シートＳ１〜Ｓ４のそれぞれの残り枚数を算出し、記憶手段１８にメモリされた枚数を算出した残り枚数に書き換えるようにしてもよい。このように記憶手段１８の記録シートＳ１〜Ｓ４の枚数の情報１０１を書き換えることで、給紙カートリッジ１０内の記録シートＳを全て使い終わる前に給紙カートリッジ１０を装置本体２５から取り外しても、再度、給紙カートリッジ１０を装着した際に、各保持部１１に保持された記録シートＳ１〜Ｓ４の枚数を誤認することがない。
【００４７】
ここで、本実施形態の給紙カートリッジ１０を用いた印刷装置による記録シートＳへの印刷工程について説明する。なお、図４は、印刷工程を示すフローチャートである。図４に示すように、まず、ステップＳ１で給紙カートリッジ１０を装置本体２５に装着すると、ステップＳ２で、制御部１４の給紙制御手段１９が記憶手段１８にメモリされた複数の第１保持部１１ａ〜第４保持部１１ｄの認識情報１００及び記録シートＳ１〜Ｓ４の情報１０１を外部端末４０に提供する。次に、ステップＳ３で、ユーザが外部端末４０から所望の記録シートＳを選択すると共に印刷指令を出し、印刷データ１０３と選択情報１０２とを印刷制御部３０に提供する。次に、ステップＳ４で、印刷制御部３０が給紙制御手段１９に対し選択情報１０２に基づいて所定の記録シートＳを給紙するように給紙命令１０４を送る。この給紙命令１０４が提供された給紙制御手段１９は、ステップＳ５で、給紙手段１３を制御することにより、給紙手段１３に所定の記録シートＳを選択的に給紙させる。その後、ステップＳ６で印刷制御部３０が、ユーザが選択した記録シートＳに適した印刷条件で紙送りモータ３２、駆動モータ２７及び駆動ＩＣ３１を制御することで、記録シートＳに印刷を実行する。
【００４８】
このように、複数の保持部１１を有すると共に装置本体２５に保持部１１のそれぞれの認識情報１００を提供する制御部１４を有する給紙カートリッジ１０を用いることで、異なる記録シートＳ１〜Ｓ４を容易に且つ確実に選択して給紙することができると共に、同時に記録シートＳ１〜Ｓ４の情報１０１を提供することで、ユーザが記録シートＳを選択するだけで、選択した記録シートＳに適した印刷条件で印刷を行わせることができる。また、異なる記録シートＳに印刷を行う度にユーザが記録シートＳの情報を設定する必要がなく、操作を簡略化することができる。
【００４９】
（他の実施形態）
以上、本発明の実施形態１を説明したが、本発明は上述したものに限定されるものではない。例えば、上述した実施形態１の給紙カートリッジ１０の保持部１１のそれぞれに記録シートＳ１〜Ｓ４を補充する補充口を設けるようにしてもよい。この補充口を設ける場合には、記録シートＳ１〜Ｓ４の保管状態を向上するために、開閉自在の蓋部を設けるようにするのが好ましい。さらに、例えば、上述した実施形態１では、給紙カートリッジ１０に４種類の記録シートＳ１〜Ｓ４をそれぞれ保持する第１保持部１１ａ〜第４保持部１１ｄを設けるようにしたが、給紙カートリッジに保持される記録シートの種類及び数等は特に限定されるものではない。
【００５０】
また、上述した実施形態１では、本発明の給紙カートリッジ１０が着脱可能に保持される印刷装置として、インク滴を吐出して印刷を行うインクジェット式記録装置を例示したが、印刷装置はこれに限定されるものではなく、例えば、帯電性のドラムにレーザにより像を作り、トナーを付着させた後、熱により固着させるレーザ式、インクリボンを機械的に叩いて記録シートに記録するドットインパクト式、熱を用いた熱転写方式などの印刷装置を挙げることができる。
【図面の簡単な説明】
【図１】実施形態１に係る給紙カートリッジの断面図である。
【図２】実施形態１に係る印刷装置の概略斜視図である。
【図３】実施形態１に係る制御系を示すブロック図である。
【図４】実施形態１に係る印刷工程を示すフローチャートである。
【符号の説明】
１０  給紙カートリッジ、１１  保持部、１１ａ〜１１ｄ  第１保持部〜第４保持部、１２  給紙口、１３  給紙手段、１４  制御部、１８  記憶手段、１９給紙制御手段、２１  記録ヘッド、２２  ヘッドユニット、２４  キャリッジ、２９  プラテン、３０  印刷制御部、３１  駆動ＩＣ、４０  外部端末、１００  認識情報、１０１  記録シートの情報、１０２  選択情報、１０３  印刷データ、１０４  給紙指令
【図１】
2004307085.tif 000003
【図２】
2004307085.tif 000004
【図３】
2004307085.tif 000005
【図４】
2004307085.tif 000006